(57)【要約】  本発明は脊柱用運動器具を開示する。本発明による脊柱用運動器具は，基板（１）の両側に設置され，取っ手（６）を設置するための挿入孔（７’）が形成された取っ手固定板（８）と，取っ手固定板（８）の内側に設置された固定用バンド（５）と，ボール（２）を支持するために中央に形成されたボール安置用孔（２’）とを含む基板（１）と，ボール（２）の上に配設され，底面にボール安置用くぼみ（３’）が形成されている座席（３）とを備える。取っ手（６）の設置間隔及び固定用バンド（５）の長さは，ユーザの身体構造に合わせて調整することができる。また，固定用バンド（５）の長さを調節できるように，基板上に一定の間隔で複数のバンド孔（５’）が形成され，取っ手（６）の設置間隔を調節できるように，取っ手固定板（８）上に一定の間隔で複数の挿入孔（７’）が形成されている。
2007500036.tif 000002
【特許請求の範囲】
【請求項１】
基板（１）の両側に設置され，取っ手（６）を設置するための挿入孔（７’）が形成された取っ手固定板（８）と，前記取っ手固定板（８）の内側に設置された固定用バンド（５）と，ボール（２）を支持するために基板（１）の中央に形成されたボール安置用孔（２’）とを含む基板（１）と；
前記ボール（２）の上に配設され，底面にボール安置用くぼみ（３’）が形成されている座席（３）と；
を備えることを特徴とする，脊柱用運動器具。
【請求項２】
前記固定用バンド（５）の長さを調節できるように，前記基板に一定の間隔で複数のバンド孔（５’）が形成され，前記取っ手（６）の設置間隔を調節できるように，前記取っ手固定板（８）に一定の間隔で複数の挿入孔（７’）が形成されていることを特徴とする，請求項１に記載の脊柱用運動器具。
【発明の詳細な説明】
【技術分野】
【０００１】
本発明は，脊柱用運動器具に関する。より詳しくは，台座上に基板を載置し，基板の中央に形成されたボール安置用孔にボールを安置する。ボール上に椅子を設置し，ユーザが椅子に座って固定用バンドで足を固定して，両手で取っ手をつかんで押すと，それにより脊柱が弛緩する。脊柱を弛緩させた状態で，ユーザーが椅子を前後左右に傾けて運動をすることにより，運動効果が増進する。
【背景技術】
【０００２】
一般に，脊柱用運動器具は，かさが大きいため屋内設置に不便であり，かつ移動し難いので一度設置するとその位置に固定されがちである。また，ある一定した領域を占める運動器具であるため，室内の雰囲気が散漫となり，子供たちの安全事故がしばしば発生することもある。
【０００３】
既存の脊柱用運動器具は，ユーザが脊柱を弛緩させない状態で運動を行うので，運動効果があまり十分ではない。
【発明の開示】
【発明が解決しようとする課題】
【０００４】
したがって，本発明は，上記問題点を解決するためのもので，その目的は，基板，台座，ボール，椅子，及び取っ手にそれぞれ容易に分離できることにより，保管及び移動に便利で，設置時に組立が簡単にでき，また設置空間が少なく済むことにより何時でもどこでも設置することができる，脊柱用運動器具を提供することにある。
【課題を解決するための手段】
【０００５】
上記目的を達成するために，本発明は，脊柱を弛緩させて脊柱運動をする器具であって，基板の両側に設置され，取っ手を設置するための挿入孔が形成された取っ手固定板と，取っ手固定板の内側に設置された固定用バンドと，ボールを支持するために基板の中央に形成されたボール安置用孔とを含む基板と，ボール上に配設され，底面にボール安置用くぼみが形成されている座席（ｃｈａｉｒ  ｓｅａｔ）とを含むことを特徴とする。
【０００６】
また，本発明の脊柱用運動器具においては，固定用バンドの長さを調節できるように，基板の上に一定の間隔で複数のバンド孔を形成してもよい。また，取っ手の設置間隔を調節できるように，取っ手固定板の上に一定の間隔で複数の挿入孔を形成してもよい。
【発明の効果】
【０００７】
上記のように，本発明は，腰の弱い人，椎間板ヘルニアに苦しむ人，椅子に長時間座っている人，脊柱が曲がっている人，及び消化不良に悩む人等が使用すれば有用なもので，一日５〜１０分くらい朝，晩に持続的に運動をすると，腰痛及び椎間板ヘルニアの予防及び治療が可能である。
【０００８】
更に，脊柱が弛緩した状態で運動することで，短時間の運動で大きな効果を得ることができる。したがって本発明は，特に時間に追われる，かつ腰の弱い現代人にとって最も好適な運動器具を提供する。
【発明を実施するための最良の形態】
【０００９】
以下，添付図面を参照して本発明の好適な実施形態を詳細に説明する。
【００１０】
まず，図１〜図３に示すように，台座４の上に基板１を載置する。
【００１１】
基板１には，取っ手６を設置するための取っ手固定板８が両側に形成され，その内側には，固定用バンド５を設置するためのバンド孔５’が形成され，中央にはボール２を支持するためのボール安置用孔２’が形成される。
【００１２】
ボール２のサイズは約１０ｃｍであり，通常テニスボールのような高弾性の材質からなるボールを用いるが，ビリヤードの球のような硬い材質のボールを用いても良い。
【００１３】
取っ手固定板８の上には，ユーザの身体構造に合わせて取っ手６の間の距離を調整できるように，複数の挿入孔７’が一定した間隔（約５ｃｍ）で形成される。取っ手固定棒７の上に形成された取っ手６は，取っ手固定板８に設置される。
【００１４】
取っ手固定板８のそばには，中央に向かって固定用バンド５を設置するためのバンド孔５’が形成される。バンド孔５’は，ユーザの身体構造に合わせて固定用バンド５の長さを調整できるように，一定した間隔（約４ｃｍ）で複数個形成される。
【００１５】
バンド孔５’に弾性を有する固定用バンド５を設置する。固定用バンド５で足を固定するとき，面ファスナーや，凹凸を用いたワンタッチ固定装置を用いて簡単に固定することができる。
【００１６】
ボール２の上には，底面にボール安置用くぼみ３’が形成されている座席３が設置される。
【００１７】
以上のような構成で本発明は構成され，その使い方は図５〜図８に示す通りである。
【００１８】
基板１を台座４の上に設置し，取っ手固定板８に取っ手６を装着し，固定用バンド５を中央に向かって設置する。
【００１９】
基板１の中央に形成されたボール安置用孔２’にボール２を安置し，ボール安置用くぼみ３’が形成されている座席３をボールの上に設置する。
【００２０】
基板１と座席３とは，ボール２があるために，約５〜６ｃｍの間隔Ｓを有する。
【００２１】
ユーザは，設置された座席３に座って，基板１に設置された固定用バンド５を用いて足を固定させる。
【００２２】
次に，運動方法を説明すると，ユーザは，座席３に座って足を固定させ，両手で取っ手固定板８に設置された取っ手６をつかむ。
【００２３】
ユーザが両手で取っ手６をつかんで下方へ押すと，上体（肩）が上るようになり，このときユーザの体の状態は，胸椎から腰椎までの脊柱の節が伸張して椎間板が柔軟になり，その結果脊柱を囲んでいる緊張した筋肉が弛緩する。
【００２４】
上記のような状態で，ユーザは，ボール２を軸として座席３を左右に回転させながら運動を行うか，或いは，図７〜図８に示すように，片側に座席３を傾けて運動を行うことができる。
【産業上の利用可能性】
【００２５】
本発明によれば，腰の弱い人，椎間板ヘルニアに苦しむ人，椅子に長時間座っている人，脊柱が曲がっている人，及び消化不良に悩む人等が使用すれば有用なもので，一日５〜１０分くらい朝，晩に繰り返して運動をすると，腰痛及び椎間板ヘルニアの予防及び治療が可能である。
【００２６】
脊柱が弛緩した状態で運動することで，短時間の運動で大きな効果を得ることができるもので，特に時間に追われる，かつ腰の弱い現代人にとって最も好適な運動器具である。
【００２７】
以上、本発明を特定の実施形態及び図面に基づいて説明したが、本発明はこれに限定されるわけではなく、本発明の属する技術分野における通常の知識を有する者によって本発明の技術思想及び請求範囲のカテゴリ内で多様な修正及び変形が可能であるのは明らかである。
【図面の簡単な説明】
【００２８】
【図１】本発明による脊柱用運動器具の分離斜視図である。
【図２】本発明による脊柱用運動器具の分離断面図である。
【図３】本発明による脊柱用運動器具の断面図である。
【図４】本発明による脊柱用運動器具の部分断面図である。
【図５】本発明による脊柱用運動器具をユーザが着用した状態を示す正面図である。
【図６】本発明による脊柱用運動器具をユーザが着用した状態を示す背面図である。
【図７】本発明の一実施形態による脊柱用運動器具の使用状態を示す図である。
【図８】本発明の他の実施形態による脊柱用運動器具の使用状態を示す図である。
【図１】
2007500036.tif 000003
【図２】
2007500036.tif 000004
【図３】
2007500036.tif 000005
【図４】
2007500036.tif 000006
【図５】
2007500036.tif 000007
【図６】
2007500036.tif 000008
【図７】
2007500036.tif 000009
【図８】
2007500036.tif 000010
【国際調査報告】
2007500036.tif 000011